(57)【要約】【課題】分電盤を壁面などの造営材に取付施工するとき、内部機器と取付版との取付ロックが外れて内部機器が外れやすくなることを防止し得る取付け構造を提供する。【解決手段】回路遮断器を分電盤などの母線が設けられた取付板側に取り付けるための回路遮断器と取付板の構造として、回路遮断器の底面から突出する、しないを外部つまみで択一的に選択可能なロックレバーを回路遮断器に設けるとともに、取付板側には前記ロックレバーの嵌合部を設け、取付板の上に載置した回路遮断器を母線の方向にスライドさせていくと母線が電源側端子部に差し込まれていき、回路遮断器の底面からロックレバーが突出して取付板側の嵌合部に嵌合することにより、母線から回路遮断器を取り外す方向の動きが規制される構造を備えたものであって、前記外部つまみの周囲に前記外部つまみの移動軌跡を避けて囲繞部を形成することを特徴として回路遮断器の取付構造を提供した。【選択図】図１
2012234711.tif 000002
【特許請求の範囲】
【請求項１】
プラグイン端子金具が設けられたプラグインタイプの回路遮断器を分電盤などの母線が設けられた取付板側に取り付けるための回路遮断器と取付板の構造として、
回路遮断器の底面から突出する、しないを外部つまみで択一的に選択可能なロックレバーを回路遮断器に設けるとともに、
取付板側には前記ロックレバーの嵌合部を設け、
取付板の上に載置した回路遮断器を母線の方向にスライドさせていくと母線がプラグイン端子金具に差し込まれていき、
回路遮断器の底面からロックレバーが突出して取付板側の嵌合部に嵌合することにより、母線から回路遮断器を取り外す方向の動きが規制される構造を備えたものであって、
前記外部つまみの周囲に前記外部つまみの移動軌跡を避けて囲繞部を形成することを特徴とした回路遮断器の取付構造。
【請求項２】
前記囲繞部の一部として少なくとも前記外部つまみの底面側に、前記母線から回路遮断器を取り外す方向に突出したリブを形成することを特徴とした請求項１記載の回路遮断器の取付構造。
【請求項３】
前記回路遮断器の並設方向から回路遮断器を臨む側面視にて、
前記外部つまみが前記囲繞部の外方に突出しないことを特徴とする請求項１記載の回路遮断器の取付構造。
【請求項４】
前記回路遮断器の取付面側から回路遮断器を臨む底面視にて、
前記外部つまみが前記囲繞部の外方に突出しないことを特徴とする請求項１又は請求項２記載の回路遮断器の取付構造。
【請求項５】
前記回路遮断器の側面視及び底面視にて、
前記外部つまみが前記囲繞部の外方に突出しないことを特徴とする請求項１記載の回路遮断器の取付構造。
【発明の詳細な説明】
【技術分野】
【０００１】
本発明は回路遮断器を分電盤の取付板に取り付けるための回路遮断器と取付板の構造に関するものである。
【背景技術】
【０００２】
分電盤を壁面などを構成する造営材に取付施工するとき、一般的には、前記壁面内から分電盤を取り付ける側に引き出されている電線を、分電盤のボックスに設けられた配線孔から一旦ボックス内に引き込み、その状態で壁面方向に分電盤のボックスを押し当てていき、該ボックスを壁面の所定位置にあてがったうえでねじ止めにより取付けを行っている。
【０００３】
分電盤のボックス内には、主開閉器や分岐開閉器などの内部機器を取付板に取付けて構成された中底が取り付けされており、分電盤を壁面に取付け施工する場合、前記ボックス内に電線を引き込んだ状態で壁面方向に分電盤のボックスを押し当てていくと、前記電線の先端や側面の被覆部が前記中底に当接し、互いに摺動することにより、中底は壁面に分電盤を押し当てていく方向とは逆の方向に押し戻されるように力を受けることがある。
通常、前記取付板などの中底は、ボックス内にねじ止め固定されており、前述したように壁面に分電盤のボックスを押し当てていく方向とは逆の方向に押し戻されるように力を受けた場合であってもボックスからは外れないものとなっている。
【０００４】
さて、内部機器としての主開閉器や分岐開閉器などの回路遮断器は、特許文献１に示されたような構造で取付板に取り付けされている。即ち、プラグインタイプの回路遮断器１を取付板２に取り付ける構造として、取付板２と鉛直な方向の動きを規制する爪部３及び爪部４を取付板２に設けるとともに前記爪部３、４とそれぞれ対応する凹部５、及び凹部６を回路遮断器１に設け、取付板２に設けられた母線１１、１２から回路遮断器１を取り外す方向の動きを規制するロックレバー７を回路遮断器１に設けるとともに取付板２には前記ロックレバー７が嵌合する嵌合部８を設けて構成しており、プラグインタイプの回路遮断器を取付板と平行にスライドさせながら取り付ける構造としている。
【０００５】
具体的には、ロックレバー７は、回路遮断器１の底面から突出する、しないを外部つまみで択一的に選択可能なものとして構成されている。ロックレバーを底面から突出しない状態にした回路遮断器を取付板２に載置し、取付板２の爪部と凹部を嵌合させた後、ロックレバーを底面から突出させて回路遮断器の負荷側への抜け止めを行う構造である。
【先行技術文献】
【特許文献】
【０００６】
【特許文献１】特開２００２−１５０９１１号公報
【発明の概要】
【発明が解決しようとする課題】
【０００７】
分電盤を壁面などの造営材に取付施工するとき、壁面から引き出された電線により、取付板が、壁面に分電盤のボックスを押し当てていく方向とは逆の方向に押し戻されるように力を受けるが、稀に、ボックスの配線孔から引き込んだ電線の先端や側面の被覆がロックレバーの外部つまみに当接し、壁面に分電盤のボックスを押し当てていくときに、ロックレバーが底面から突出しない方向に押し戻され、抜け止めが解除されるおそれがあった。
【０００８】
ロックレバーによる抜け止めが解除された状態では、回路遮断器は、取付板と鉛直な方向及び並設方向への位置の規制は行われるが、電源側端子から負荷側端子方向への抜け止めの規制が行われず、電源側端子が母線から外れるおそれがある。
【０００９】
しかしながら、壁面に分電盤を押し当てる前の初期状態ではロックレバーは回路遮断器の底面から突出して回路遮断器の抜け止めがなされた状態であるから、分電盤を壁面に押し当てることによりロックレバーが解除されたということには気付きにくく、そのまま負荷側端子に電線を接続して使用を開始してしまうと、経年的な使用や振動等に伴い、回路遮断器が母線から外れて、若しくは外れかけて、母線と端子の接触不良や端子部の異常発熱、停電の発生など、種々の電気的な不良が発生するおそれがある。
【００１０】
本発明は、上述のような問題を解決し、分電盤を壁面などの造営材に取付施工するとき、壁面などから分電盤を取り付ける側に引き出されている電線が、中底を構成する取付板に取り付けられている内部機器に当接、摺動して、内部機器と取付版との取付ロックが外れて内部機器が外れやすくなることを防止し得る取付け構造を提供することを目的としている。
【課題を解決するための手段】
【００１１】
本発明に係る回路遮断器の取付構造は、プラグイン端子金具が設けられたプラグインタイプの回路遮断器を分電盤などの母線が設けられた取付板側に取り付けるための回路遮断器と取付板の構造として、回路遮断器の底面から突出する、しないを外部つまみで択一的に選択可能なロックレバーを回路遮断器に設けるとともに、取付板側には前記ロックレバーの嵌合部を設け、取付板の上に載置した回路遮断器を母線の方向にスライドさせていくと母線がプラグイン端子金具に差し込まれていき、回路遮断器の底面からロックレバーが突出して取付板側の嵌合部に嵌合することにより、母線から回路遮断器を取り外す方向の動きが規制される構造を備えたものであって、前記外部つまみの周囲に前記外部つまみの移動軌跡を避けて囲繞部を形成することを特徴として回路遮断器の取付構造を提供したものである。
【００１２】
かかる構成によれば、分電盤のボックスを壁面に押し当てていくときに、電線が中底を構成する取付板に取り付けられている内部機器に当接、摺動しても、内部機器と取付版との取付ロックとなる外部つまみは周囲の囲繞部によって電線が該外部つまみに当接することが防止され、回路遮断器と取付板との取付ロックが外れて内部機器が外れやすくなることを防止できる。
【００１３】
また、前記囲繞部の一部として少なくとも前記外部つまみの底面側に、前記母線から回路遮断器を取り外す方向に突出したリブを形成して構成してもよい。
【００１４】
かかる構成によれば、周囲を全体的に囲繞する場合と比べ、囲繞部の大きさを小さくでき、回路遮断器を構成する器体に必要な樹脂を少なくすることができる。
【００１５】
また、前記回路遮断器の並設方向から回路遮断器を臨む側面視にて、前記外部つまみが前記囲繞部の外方に突出しないよう構成してもよい。
【００１６】
かかる構成によれば、外部つまみが回路遮断器の器体の側面視にて外方に突出しないため、電線が回路遮断器に当接することはあっても、外部つまみに当接することがなくなり、回路遮断器と取付板との取付ロックが外れて内部機器が外れやすくなることを防止できる。また、分電盤内に電線を引き回す場合、外部つまみに電線被覆が引っ掛かることにより電線被覆が傷付くことがなくなる。
【００１７】
また、前記回路遮断器の取付面側から回路遮断器を臨む底面視にて、前記外部つまみが前記囲繞部の外方に突出しないよう構成してもよい。
【００１８】
かかる構成によれば、外部つまみが回路遮断器の器体の底面視にて外方に突出しないため、電線が回路遮断器に当接することはあっても、底面方向から外部つまみに当接することがなくなり、電線により回路遮断器が押し上げられる方向における力を外部つまみがうけることがないため、回路遮断器と取付板との取付ロックが外れて内部機器が外れやすくなることを防止できる。また、分電盤内に電線を引き回す場合、外部つまみに電線被覆が引っ掛かることにより電線被覆が傷付くことがなくなる。
【００１９】
また、前記回路遮断器の側面視及び底面視にて、前記外部つまみが前記囲繞部の外方に突出しないよう構成してもよい。
【００２０】
かかる構成によれば、外部つまみが回路遮断器の器体の側面視及び底面視にて外方に突出しないため、電線が回路遮断器に当接することはあっても、外部つまみに当接することがなくなり、電線により回路遮断器が押し上げられる方向における力を外部つまみがうけることがないため、回路遮断器と取付板との取付ロックが外れて内部機器が外れやすくなることを防止できる。また、分電盤内に電線を引き回す場合、外部つまみに電線被覆が引っ掛かることにより電線被覆が傷付くことがなくなる。
【発明の効果】
【００２１】
以上のように本発明によれば、分電盤を壁面などの造営材に取付施工するとき、壁面などから分電盤を取り付ける側に引き出されている電線が、中底を構成する取付板に取り付けられている内部機器に当接、摺動して、内部機器と取付版との取付ロックが外れて内部機器が外れやすくなることを防止し得る取付け構造を提供することができる。更に、外部つまみに電線が当接、摺動することがなくなるから、分電盤を壁面に押し付けていくときに引っ掛かりがなくスムーズに押し付けていくことができ作業性がよくなるという効果がある。
【図面の簡単な説明】
【００２２】
【図１】回路遮断器と取付板の取り付け構造実施例。
【図２】回路遮断器と取付板の取り付け構造実施例。
【図３】回路遮断器と取付板の底面側から見た取り付け構造実施例。
【図４】ロックレバー部分の拡大説明図。
【図５】回路遮断器の要部側面視の説明図。
【図６】回路遮断器の要部底面視の説明図。
【図７】従来の回路遮断器と取付板の取り付け構造実施例。
【発明を実施するための形態】
【００２３】
この発明の実施例について図面を用いて以下に詳細に説明する。図１から図６は本件発明による回路遮断器の取付構造の実施例を示したものである。
【００２４】
図１から図３において、１は電源側をプラグインタイプの端子とした回路遮断器、２は分電盤に設けられた取付板、３、４は取付板に設けられ回路遮断器１の取付板と鉛直な方向の動きを規制する爪部ａと爪部ｂ、５、６は前記爪部に対応する回路遮断器側に設けられた凹部ａと凹部ｂ、７は回路遮断器側に設けられ取付板から回路遮断器を取り外す方向の動きを規制するロックレバー、８はロックレバー７と嵌合する取付板側の嵌合部、９、１０は回路遮断器の側面を規制する突出部ａと突出部ｂである。また、１１、１２は取付板に設けられた母線、１３、１４はプラグイン端子部、１５、１６はプラグイン端子金具である。３の爪部ａと４の爪部ｂは電源側から負荷側に向けて伸びており（開放されており）、５の凹部ａと６の凹部ｂは電源側に向けて開放されている。これにより回路遮断器１を取付板２に載置して母線方向にスライドさせたときには、３の爪部ａと５の凹部ａが、４の爪部ｂと６の凹部ｂが嵌合し取付板と鉛直な方向の動きを規制することができる。
【００２５】
図４（ａ）、（ｂ）は、ロックレバー７が、回路遮断器の底面から突出していない状態、及び突出している状態を示したものである。ロックレバー７は、底面から突出していない状態、及び突出している状態の間を図中上下方向に選択的に外部つまみとしての指掛部７０２をもって操作でき、それにより係止部７０３が底面から突出したり突出しなかったりする。
【００２６】
前記ロックレバー７の、回路遮断器の底面から突出した状態と、突出しない状態の位置の保持は、ロックレバーの側面が回路遮断器１の器体の内壁と互いに摺動する構造とすることにより行っており、回路遮断器の底面から突出した状態と突出しない場合の２つの位置を安定的に保持できるようにしてある。
【００２７】
また、指掛部７０２の周囲には、該指掛部７０２の移動を妨げることがないように、前記上下方向の移動軌跡を避けて囲繞部７０４が構成されている。該囲繞部７０４は、ロックレバー７の外部つまみである指掛部７０２の側面側７０４ｃ，７０４ｄ，及び底面側７０４ａ，７０４ｂに、回路遮断器の器体の一部にリブを形成することにより構成している。
【００２８】
本実施形態においては、囲繞部７０４を構成する底面側の７０４ａ部と７０４ｂ部を、回路遮断器の負荷側端子部に接続される電線が底面側から入り込まない程度に離間させて構成している。これは、回路遮断器の器体が並設方向において分割される構成となっており、それぞれの器体に設けた囲繞部同士の嵌合に所定の余裕度を持たせたためである。なお、底面側の７０４ａ部と７０４ｂ部を離間させずに密着させて構成してもよい。
【００２９】
また、囲繞部７０４の底面側の７０４ａ部と７０４ｂ部は器体の中央部に進むにつれて前記指掛部７０２との間隔が大きくなるように構成している。これにより、該指掛部７０２を引き上げる場合に、指が囲繞部７０４と指掛部の間に入り込みやすくなる。
【００３０】
なお、前記指掛部７０２の前面側に、前記底面側の囲繞部に対向させて囲繞部を形成して、指掛部のぐるりを囲むように囲繞部を構成してもよい。これにより、底面側、側面側に加えて前面側からの異物の進入を防止することができる。
【００３１】
前記囲繞部７０４を形成するリブの高さは、図５、図６に示したように、回路遮断器１の並設方向から該回路遮断器１を臨む側面視にて、前記外部つまみとしての指掛部７０２が前記囲繞部７０４の外方に突出しない程度に設けられている。また、回路遮断器１の取付面側から回路遮断器１を臨む底面視にて、前記指掛部７０２が前記囲繞部７０４の外方に突出しない程度に設けられている。
【００３２】
このように構成された取付構造により回路遮断器を取付板側に取り付ける場合について説明する。まず、図１において、回路遮断器１のロックレバー７の係止部７０３が回路遮断器底面より突出しない状態にしておき、取付板の突出部ａ９、突出部ｂ１０の間に遮断器がくるように、また４の爪部ｂが遮断器の６の凹部ｂの開口部にくるように取付板の上に載置する。この時点では爪部３、４と遮断器の凹部５、６はかみ合っていない。次に回路遮断器１を母線１１、１２の方向にスライドさせていくと母線１１、１２がプラグイン端子金具１５、１６に差し込まれていき、取付板側に設けられた爪部３及び爪部４がそれぞれ回路遮断器の凹部５、凹部６と嵌合する。
【００３３】
以上により、回路遮断器は図１の上方向（取付板に対する鉛直方向）と側面方向の動きが規制されるが、この状態では、回路遮断器は母線１１，１２から遠い方向（遮断器の負荷側方向）へは取り外し可能である。
【００３４】
次にロックレバー７の指掛部７０２を指で取付板の方向に押圧すると、係止部７０３が回路遮断器の底面より突出し、取付板側の嵌合部８に嵌合する。これにより母線から回路遮断器を取り外す方向の動きを規制することができ、取付板２に回路遮断器１が取付られた状態となる。
【００３５】
続いて、分電盤を壁面に取付施工するとき、壁面内から分電盤を取り付ける側に引き出されている電線を、分電盤のボックスに設けられた配線孔から一旦ボックス内に引き込む。そして、壁面方向に電線を引き込んだ分電盤のボックスを押し当てていくと、電線が中底に当接し摺動することにより、中底が壁面に分電盤を押し当てていく方向とは逆の方向に押し戻されるように力を受ける。
【００３６】
このとき、中底は、ボックス内にねじ止め固定されているから、ボックスからは外れることがない。また、回路遮断器１は取付板２に対して鉛直方向、側面方向、そして母線から回路遮断器を取り外す方向の三方向の動きを規制されているから、回路遮断器に電線が当接して摺動しても該回路遮断器は中底から外れることがない。
【００３７】
さらに、指掛部７０２近傍においては、囲繞部７０４が設けられており、前記指掛部７０２は、囲繞部７０４の外方には突出していないので、電線は指掛部７０２に当接する前に囲繞部７０４に当接し、指掛部７０２には電線が直接当接したり摺動したりせず、母線から回路遮断器を取り外す方向の解除がなされるおそれがなくなる。
【００３８】
母線から回路遮断器を取り外す方向の解除がなされない限りは、回路遮断器１は取付板２に対して鉛直方向、側面方向の規制が解除されず、取付板２から回路遮断器１が母線から外れて、若しくは外れかけて、母線と端子の接触不良や端子部の異常発熱、停電の発生など、種々の電気的な不良が発生するおそれがない。
【００３９】
次に回路遮断器１を取付板２から取り外す場合について説明する。まず、ロックレバー７の指掛部７０２を取付板と反対の方向に指で引き上げ、嵌合部８とロックレバー７の係止部７０３との嵌合を解除する。このとき、囲繞部７０４の底面側の７０４ａ部と７０４ｂ部は器体の中央部に進むにつれて前記指掛部７０２との間隔が大きくなるように構成しているので、該指掛部７０２を引き上げる場合に、指が囲繞部７０４と指掛部の間に入り込みやすい。
【００４０】
次に回路遮断器１を母線１１、１２と反対の方向に引き抜くように移動させることにより、爪部３、及び爪部４と凹部５及び凹部６との嵌合が外れる。この状態で回路遮断器１を取付板から持ち上げると取付板２から取り外すことができる。
【００４１】
以上の説明のように、分電盤を壁面などの造営材に取付施工するとき、壁面などから分電盤を取り付ける側に引き出されている電線が、中底を構成する取付板に取り付けられている内部機器に当接、摺動して、内部機器と取付版との取付ロックが外れて内部機器が外れやすくなることを防止し得る取付け構造をできる。
【００４２】
なお、実施例では、回路遮断器の側面を位置規制する突出部９、１０を設けた例としたが、前記爪部３、４と凹部５、６との嵌合方向を、回路遮断器の電源側と負荷側とを結ぶ方向の嵌合に加え、回路遮断器の並設方向の嵌合も行えるよう、凹部５，６において並設方向の嵌合部を形成し、該爪部と凹部の並設方向の寸法を略同等に設定することで、回路遮断器の側面を位置規制する突出部９、１０に代えて、並設方向の動きを規制することができる。なお、突出部９、１０と合わせてより強固に規制する構造としてもよい。
【００４３】
また、嵌合部８は取付板２の端部を折り曲げて形成された例で説明したが、係止部７０３の大きさに見合った穴としてもよく、穴と係止部の並設方向の寸法を略同等に設定することで、回路遮断器の側面を位置規制する突出部９、１０に代えて、並設方向の動きを規制することができる。なお、突出部９、１０と合わせてより強固に規制する構造としてもよい。さらに、回路遮断器は電源側端子がプラグインの構造の例で説明したが、通常のねじ端子でも実施でき、これらは、本件発明の請求の範囲内で適宜変更可能である。
【符号の説明】
【００４４】
１  回路遮断器
２  取付板
３  爪部
４  爪部
５  凹部
６  凹部
７  ロックレバー
７０２  指掛部
７０３  係止部
７０４  囲繞部
８  嵌合部
９  突出部
１０  突出部
１１  １２  母線
１３  １４  プラグイン端子部
１５  １６  プラグイン端子金具
１７  突起部
１８  溝
１９  溝
【図１】
2012234711.tif 000003
【図２】
2012234711.tif 000004
【図３】
2012234711.tif 000005
【図４】
2012234711.tif 000006
【図５】
2012234711.tif 000007
【図６】
2012234711.tif 000008
【図７】
2012234711.tif 000009